(57)【特許請求の範囲】
【請求項１】
物品をコーティングする装置であって、
単一のマイクロ波源、および
２つ以上のコーティング室（１０、１０’）を有し、
前記コーティング室（１０、１０’）がすべて単一のマイクロ波源に接続され、
前記個々のコーティング室（１０、１０’）にプラズマを発生させるためにマイクロ波エネルギーを分割するための、同軸導体構造体又は導波管構造体からなるインピーダンス構造体を有し、
前記同軸導体構造体又は前記導波管構造体が、ウェブ（３）および２つのリム（４、４’）を含むＨ字形導体構造体を備え、
前記Ｈ字形導体構造体が少なくとも２つのコーティング室（１０、１０’）の上流に接続され、
前記ウェブ（３）が入力導体（２）を介して前記マイクロ波源に接続され、
前記Ｈ字形導体構造体の各リム（４、４’）が、対応する前記コーティング室（１０、１０’）から離隔している部分（４．１、４．１’）および該コーティング室（１０、１０’）の１つに面する部分（４．２、４．２’）を有し、
前記対応するコーティング室（１０、１０’）から離隔している前記リム部の電気長が調整可能である装置。
【請求項２】
前記導波管構造体が、マイクロ波エネルギーを分割する少なくとも１つの部品からなる請求項１に記載の装置。
【請求項３】
前記導波管構造体が矩形導波管を含む請求項１又は２に記載の装置。
【請求項４】
前記導波管構造体が円形導波管を含む請求項１又は２に記載の装置。
【請求項５】
前記同軸導体構造体又は前記導波管構造体が、前記コーティング室それぞれにマイクロ波エネルギーを導入する誘電体窓を備える、請求項１ないし４のいずれか１項に記載の装置。
【請求項６】
前記同軸導体構造体が、マイクロ波エネルギーを前記個々のコーティング室（１０、１０’）に導入するために、金属内部導体（Ａ）、および外部導体として金属表面により境界を画された誘電体（Ｂ）を備える、請求項１に記載の装置。
【請求項７】
前記リム（４、４’）のコーティング室から離隔している部分（４．１、４．１’）の電気長を変えるスリーブ（５、５’）又は前記リム（４、４’）のコーティング室の１つに面する部分（４．２、４．２’）の電気長を変えるねじ（６、６’）が設けられた請求項１又は６に記載の装置。
【請求項８】
前記入力導体（２）が前記マイクロ波源と前記Ｈ字形導体構造体の分岐点との間に接続部を形成する、請求項１に記載の装置。
【請求項９】
前記入力導体（２）の電気長も調整可能である請求項８に記載の装置。
【請求項１０】
前記スリーブ（５、５’）が、前記金属内部導体（Ａ）を囲む変位可能スリーブから形成される請求項７に記載の装置。
【請求項１１】
前記ねじ（６、６’）が、前記金属内部導体（Ａ）にねじ込むことができるねじから形成される請求項７に記載の装置。
【請求項１２】
前記ウェブ（３）が追加のリム（７）に接続される請求項１に記載の装置。
【請求項１３】
前記追加のリム（７）が前記２つのリム（４、４’）間で前記ウェブ（３）の中央に接続される請求項１２に記載の装置。
【請求項１４】
前記追加のリム（７）の電気長も調整可能である請求項１２又は１３に記載の装置。
【請求項１５】
前記コーティング室（１０、１０’）が互いに離れて配置され、互いに遮蔽されている請求項１ないし１４のいずれか１項に記載の装置。
【請求項１６】
コーティングされる物品はそれぞれ前記個々のコーティング室（１０、１０’）に収容されるか、あるいは前記コーティング室（１０、１０’）はそれぞれ物品により形成される請求項１ないし１５のいずれか１項に記載の装置。
【請求項１７】
前記個々のコーティング室が、別個の真空供給デバイスおよびガス供給デバイスを割り当てられる請求項１ないし１６のいずれか１項に記載の装置。
【請求項１８】
前記コーティング室はそれぞれ、前記プラズマまたはコーティングされるべき基材から発生する熱放射および／または電磁放射を記録する別個の検知ユニットを割り当てられる請求項１ないし１７のいずれか１項に記載の装置。
【請求項１９】
パルス状マイクロ波源が設けられた請求項１ないし１８のいずれか１項に記載の装置。
【請求項２０】
前記同軸導体構造体又は前記導波管構造体が剛性導体からなる請求項１ないし１９のいずれか１項に記載の装置。
【発明の詳細な説明】
【技術分野】
【０００１】
本発明は、気相蒸着によって物品（objects）をコーティングする装置に関する。コーティング処理室がマイクロ波デバイスに接続される。
【０００２】
好適な物品の例としては、たとえばランプの一部を形成することになるリフレクタのような光学的物品、ならびに医薬産業または化学産業に使用するボトルまたはバイアルも含む。しかしながら、これらは広範な実際の用途の例にすぎない。
【０００３】
ＤＥ  ６８９  ２６  ９２３  Ｔ２は、複数の同軸線を有するプラズマ室がマイクロ波発生器の同軸線に接続されるマイクロ波イオン源を開示している。この場合、プラズマ室は、互いに連通しているため、個々のプラズマ室の電磁場が互いに影響を及ぼし合う。イオンビームがマイクロ波イオン源の各プラズマ室から発生するが、プラズマ室間の相互作用によって広域のイオンビームが発生する。
【０００４】
ＤＥ  １９５  ０３  ２０５  Ｃ１は、交流電磁場により減圧容器でプラズマを発生させる装置に関しており、棒形状の導体が減圧容器を介して絶縁材からなる管の内側に誘導される。
【０００５】
ＤＥ  ４１  ３６  ２９７  Ａ１は、マイクロ波励起によりプラズマを局所的に発生させる装置を記載している。この場合、減圧領域に対する境界線の役目を果たすとともに内側に金属からなる内部導体がある、絶縁材からなる管が処理室に設けられ、マイクロ波源からのマイクロ波が内部導体に導入される。この既知の装置は、マイクロ波を伝送するあるタイプの同軸線がイオン化ガスの特性により搬送導波管の外壁に形成される作用を利用する。
【０００６】
このようなタイプの装置には多くの要求が課せられている。コーティングの結果は、たとえば物品ごとの層厚の均一性および再現性に関する要件を満たす必要がある。さらに、その設備は、単位時間あたりの可能な物品仕上り量（yield）が可能な限り最大であるべきである。エネルギー消費は可能な限り低くあるべきである。
【０００７】
これらの要求は既存の装置では満たされていない、すなわち十分に満たされていない。
【０００８】
本発明は、限定された投資コストに対し、これまでよりも高い生産能力を達成することが可能であり、エネルギー消費が既知の装置よりも少なく、省スペースであるように、序文に記載した、マイクロ波源およびコーティング室を備えたタイプの装置を構成する目的に基づいている。
【０００９】
本目的は、請求項１の特徴によって達成される。
【００１０】
したがって、本発明の基本的な着想は、従来の場合のように１つのみでなく、２つ以上のコーティング室に供給する単一のマイクロ波源を提供することにある。この基本的な着想は、適当なインピーダンス構造または導波管構造を用いることにより、別個の室でコーティング用のプラズマを発生させるためにマイクロ波エネルギーを分割および導入するためにある。
【００１１】
本発明の第１の実施形態では、マイクロ波エネルギーが導波管自体で分割される。たとえばｙ-分割器などの適当な導波管部品がこの目的に用いることができる。導波管部品内で分割されたマイクロ波エネルギーは次に、たとえば誘電体窓または同軸導体構造を介してそれぞれのコーティング室に導入される。任意の形状の導波管、たとえば矩形導波管または円形導波管が考えられる。本発明の別の実施形態は、たとえば同軸導体構造を含むインピーダンス構造でマイクロ波エネルギーを分割するためにある。
【００１２】
マイクロ波源は、ＰＩＣＶＤ動作に対しパルスモードで動作することが特に有利である。この動作は、たとえばパルスエネルギーの供給により実施されることができる。しかしながら、例として非パルス時間変調マイクロ波源すなわちそれに対応するエネルギーの供給も可能である。いずれの場合も、プラズマ強度が変調される。これにより、特にＰＩＣＶＤ動作のパルス間期間中に、比較的小さいプラズマ強度でのガス交換が可能になり、熱負荷が低減される。
【００１３】
特に好適な実施形態では、単一のマイクロ波源のエネルギーが、金属内部導体、および外部導体として誘電体を有する同軸導体構造によりそれぞれのコーティング室に導入される。このようにしてエネルギーが導入される場合、個々の同軸導体の電気長を変更することを可能にする手段を設けることが特に有利である。この方策により、２つ以上のコーティング室の場合に、１つの導体分岐のインピーダンスが、プラズマが導体分岐のいずれでもすなわち全てにおいて点火するよう、影響を受けることが可能になる。このことを達成するため、たとえば、コーティングステーションすべてが同じエネルギー供給を受けるように、個々の同軸導体の電気長を変えることによって、インピーダンスが選択されるべきである。個々のコーティング室におけるプラズマの交互の点火（alternatic ignition）が、適当なインピーダンスの選択によって回避されるはずである。
【００１４】
コーティング室は、互いに離れて配置されることが有利である。特に、コーティング室は互いに遮蔽されており、そのためコーティング室のプラズマおよび電磁場が互いに影響を及ぼし合うことがない。コーティングされるべき１つの物品がそれぞれコーティング室のそれぞれに収容されることが可能であるか、あるいは、コーティング室（１０、１０’）がそれぞれ、コーティングされるべき物品により形成されることが好ましい。
【００１５】
同軸導体の場合、インピーダンスは、誘電体で囲まれた個々の導体の長さを変えることによって変更することができる。
【００１６】
さらに、本発明の構成は、従属請求項および添付の記載から明らかとなろう。
【００１７】
本発明は、図面を参照しながらより詳細に説明される。
【００１８】
図１は、単一のマイクロ波源からのマイクロ波エネルギーがインピーダンス分岐に分割される、本発明の第１の実施形態を示す。
【００１９】
図１に示した装置は、マイクロ波源（ここでは図示せず）が接続される上部領域が示されており、下部領域はコーティング室を備える。この場合、装置は、内部導体Ａおよび外部導体Ｂを備えた同軸構造を備える。内部導体Ａは金属からなり、外部導体Ｂは誘電体で、この場合、空隙である。誘電体は、金属表面により境界を画される。本発明の状況（context）では、誘電体は、非金属媒体または金属性導電媒体を意味するものと理解されたい。したがって、本明細書で用いられた状況では、誘電体という用語は、たとえば空気または真空のような媒体も包含する。
【００２０】
この場合では、２つの処理室１０、１０’が設けられて、単一のマイクロ波源により供給される。この場合では、コーティング室が基材自体（たとえばガラスバイアル）から形成され、コーティング室がそれぞれガスノズル（図示せず）を割り当てられるか、あるいはそれぞれ１つの基材（たとえば外部コーティング用）がコーティング室の１つに収容される。処理されるべき基材は同じタイプであることが好ましい。ガラスのバイアルまたはボトルの代替として、プラスチックのバイアルまたはボトルまたはリフレクタも考慮されてよい。
【００２１】
上述の同軸導体構造の幾何学構造は、円錐１がマイクロ波源ＭｗＱ（詳細には図示せず）に接続されるように構成される。この円錐は、矩形導波管（ここでは図示せず）から上述の同軸導体構造への移行を形成するために用いられる。
【００２２】
導体２が円錐１に接続されている。Ｈ字形導体構造が導体２に接合している。このＨ字形導体構造は、ウェブ３および２つのリム４、４’を備える。この２つのリムは、上リム部４．１および下リム部４．２または上リム部４．１’および下リム部４．２’からなる。
【００２３】
コーティング室への供給導体、またはインピーダンス構造、特に導体２およびＨ字形導体構造は、固定または剛性導体として設計される。これにより、導体の位置が決まるため、電磁エネルギーの伝導および分割は、導体が動くことによる影響を受けることがない。
【００２４】
以下で扱われるであろう寸法ｘが重要である。この寸法は、誘電体Ｂで囲われたリム部４．１または４．１’の長さの部分を示す。
【００２５】
さらに重要な寸法は、下リム部４．２、４．２’間の距離ｙ、すなわち処理室１０、１０’の領域にあるリム部間の距離である。本発明者らは、上記のパラメータｘおよびｙを適切に選択することで、処理室（コーティング室）の割合を調整することができ、処理室ごとに品質が異なることをなくすとともに許容可能なコーティング品質がすべての基材上に達成することができることを見い出した。
【００２６】
したがって、本発明のシステムにより、ダブルコーティングステーションまたはマルチコーティングステーションを提供することが可能となり、そのため生産量が大幅に増すとともに生産コストが大幅に低減される。この結果として、特にエネルギーコストが低減されることができる。コーティング品質が最適化されることができる。
【００２７】
この状況で、上述の２つのパラメータｘ、ｙのうち、調整を行うには一方のみを変更すればよいことを強調しておく。パラメータｘは特に重要である。
【００２８】
図２は、実際にこの調整を実施することができる方法を示す。この図もまた、同軸導体構造を示すとともに、Ｈ字形の幾何学構造も示す。
【００２９】
２つのリム部４．１、４．１’は、それぞれスリーブ５、５’で囲われている。これらのスリーブは、リム部に沿って変位することができる。この変位により、導体構造の電気長を変えることができる。この変更はリム部ごとに異なるため、このようにしてコーティング室１０、１０’のコーティング品質に影響を与えることができる。リム部４．１または４．１’それぞれに沿ったスリーブ５、５’の変位は、この実施形態では、調整装置４３または４３’それぞれにより行われ、各調整装置はそれぞれ、スリーブ５、５’それぞれに接続される調整ねじ４４または４４’をそれぞれ備える。
【００３０】
スリーブの調整はまた、スリーブの設定を異ならせると、２つのリム４および４’に対して異なるパラメータｘをもたらす。これらの異なるパラメータｘは以下ではｘ１およびｘ２と呼ぶ。しかしながら、装置が最適に設定される場合、パラメータ値ｘ１およびｘ２は概して、パラメータ間の差がインピーダンス構造の２つの経路のインピーダンス間の小さな差を補償するような程度に異なるだけであろう。したがって、均一のパラメータｘを得ることができるよう、パラメータｘ１およびｘ２の平均をとることができ（ｘ＝１／２（ｘ１＋ｘ２））、それによって精度の優れた値のｘが得られる。
【００３１】
さらに、リム４、４’に、この場合はリム部４．２、４．２’にねじ６、６’を深くまたは浅くねじ込むことによって影響を与えることもできる。
【００３２】
本明細書では図示していないが、入力導体部２はまた、２つのスリーブ４．１、４．１’に対応するスリーブ、または２つのねじ６、６’に対応するねじ、あるいはこれらの手段のいずれも割り当てられてよいことが理解されよう。
【００３３】
例として本明細書に示した同軸導体構造には次のことが当てはまる。すなわち、内部導体の所与の直径について、無反射の整合（matching）は、外部導体の非常に特異な（specific）直径およびパラメータｘとパラメータｙとの非常に特異な比を用いることによってのみ得られる。
【００３４】
特に、ほぼ無反射の整合は、パラメータｙが、用いられる電磁波の半波長の倍数である場合に、すなわちｙ＝ｎλ／２、ｎ∈［１、２、３、．．．］の関係がほぼ満たされている場合に達成されることができることが分かっている。インピーダンス構造における電力分割に対し良好な結果を得るため、所定の制約が装置の寸法に課される。２．４５ＧＨｚの周波数であっても同軸導体の波長は１２ｃｍを上回るので、この周波数および構造が用いられる場合、距離ｙはもっぱら約６ｃｍの整数倍として選択されることができる。さらに、波長もまた、同軸導体を用いるか導波管を用いるかによって決まる。同軸導体の場合、波長は真空波長に近い。Ｒ２６導波管構造の場合、たとえば、２．４５ＧＨｚでの波長は約１７．４ｃｍであるため、この場合の最適な設定では、ｙは約８．７ｃｍであるべきである。
【００３５】
時として、ＣＶＤ法においていっそう低い周波数が選択されるため、対応する波長はいっそう長くなる。特に均一なコーティングを得るための、たとえば広域のコーティングの場合等の所定の用途に対してＰＩＣＶＤ法では、より低い周波数もまた用いられる。したがって、波長が長くなるにつれて、コーティング装置に対する関連する設計上の制約も多くなる。
【００３６】
しかしながら、これらの制約は、インピーダンス構造が追加のリムを有する場合に回避できることが分かっている。この形式の実施形態は、図３Ａないし図３Ｄに示されている。図３Ａないし図３Ｄを参照して示す実施形態では、図１および図２を参照して説明した例示的な実施形態と同様に、単一のマイクロ波源からのマイクロ波エネルギーがインピーダンス分岐に分割される。
【００３７】
図３Ａおよび図３Ｂに示した装置も同様に、内部導体Ａおよび外部導体Ｂを有する同軸構造を備える。内部導体Ａは、好ましくは、金属からなり、外部導体Ｂは導電面により境界を画される誘電体（たとえば空隙）からなる。
【００３８】
インピーダンス構造によって分割された、マイクロ波源からのマイクロ波エネルギーは、処理室１０、１０’に供給するために用いられる。
【００３９】
上述の実施形態と同様に、ウェブ３および２つのリム４、４’を有するＨ字形導体構造は、導体２に接続されている。上述の実施形態とは異なり、インピーダンス構造は、ウェブ３に接続される追加のリム７を有する。
【００４０】
リム７は、ウェブ３の中央を始端とした、誘電体Ｂを満たす空隙の長さを示すパラメータｚを定める。この実施形態では、リムは、導体２と同様に、２つのリム４および４’の間でウェブ３の中央に取り付けられる。
【００４１】
さらに、リム７は、リム７と導体２が位置合わせされるようにウェブ３に対し導体２と反対側に配置される。しかしながら、この配置は絶対に必要というわけではない。リム７および導体２が互いにある角度、たとえば約９０°にある２つの方向に延びることもできる。この特徴を持つ実施形態では、導体２、ウェブ３、およびリム７は、互いに略垂直な３つの方向に延びる。
【００４２】
図３Ｂは、図３Ａで示した追加のリム７を有する実施形態の詳細を示す。同軸導体構造は、追加のリム７が横棒についたＨ字形の幾何学構造を有する。
【００４３】
２つのリム部４．１、４．１’およびリム７はそれぞれスリーブ５、５’および７１で囲われており、これらのスリーブは、調整装置４３、４３’、７３によりリム部４．１、４．１’、またはリム７に沿って変位することができる。図１および図２を参照して示した実施形態と同様に、リム部４．１、４．１’の電気長はそれぞれ、調整装置４３および４３’により別個に変更することができる。この実施形態では、調整装置７３により、他の設定とは別個にリム７の電気長を設定することも可能である。これにより、パラメータｘ、ｘ’およびｚを別個に設定することができるとともに、マイクロ波電力の均一な分割を達成することができるようになる。
【００４４】
図３Ｃおよび図３Ｄは、図３Ａおよび図３Ｂを参照して示した実施形態の変形形態を示す。この変形形態では、インピーダンス構造は、図３Ａおよび図３Ｂで示した同軸導体の代わりに導波管を備える。導波管は、円形導波管および矩形導波管のどちらを備えていてよい。導波管を有するこのような変形形態は、比較的高い周波数の場合に特に適している。
【００４５】
この変形形態はまた、パラメータｘ１、ｘ２、およびｚを、リム部４．１、４．１’、およびリム７に沿ってそれぞれ変位されることができるスリーブ５、５’、および７１により調整かつ最適化することができる。
【００４６】
図３Ｄに示すように、コーティング室１０、１０’はたとえば、コーティングされるべきワークピース（work piece）によって形成されてよい。この場合、図３Ｄは、導体構造に結合され、そこを通ってマイクロ波がアンプルの内部に入るアンプルのベース領域を示している。アンプルのほかに、たとえばバイアル、ボトル、または球状キャップ等の中空体形状の他のワークピースの内部をコーティングすることもでき、あるいは、たとえばランプ球（lamp bulb）等の他のワークピースの外部を別個のコーティング室でコーティングすることもできる。この場合もまた、コーティング室１０、１０’への供給導体またはインピーダンス構造、特に導体２およびＨ字形導体構造が、固定または剛性導体として設計される。
【００４７】
図３Ｂおよび図３Ｄに示すように、すべての実施形態では、マイクロ波を誘電体窓８、８’を介してコーティング室１０、１０’に導入することができる。この誘電体窓により、プラズマがインピーダンス構造または導波管構造においてプラズマが点火することが防止されるが、この理由はプロセスガスの浸透が回避されるか、あるいはプラズマが点火しない圧力に維持することができるからである。
【００４８】
図４Ａおよび図４Ｂ、ならびに図５は、マイクロ波源（図示せず）により発生するマイクロ波エネルギーの分割が、マイクロ波エネルギーが導波管１００内にあるうちに行われる、本発明の実施形態を示す。マイクロ波源からのマイクロ波エネルギーはすべて、導波管１００（たとえば矩形導波管）へ導入され、図示の実施形態の領域１０２で２つの部分に分割される。マイクロ波エネルギーの一部は矩形導波管１０４に送られ、もう一部は矩形導波管１０６へ送られる。これらの分岐１０４および１０６に導入されたマイクロ波エネルギーは、矩形導波管１０８に送られる。図４Ｂに示す矩形導波管１０８では、マイクロ波エネルギーは、同軸導体１１０を介して、コーティングされるべき個々のコーティング室１１２（この場合、事実上の３Ｄ（３次元）容器であってよい）導入される。本プロセスを用いてコーティングすることができる３Ｄ容器の例として、球状キャップ、シリンジ、アンプル、ボトル、バイアル、カテーテルが挙げられる。本発明の場合、各３Ｄ容器１１２が専用の真空供給源１１４および専用のガス供給源１１６を有することが重要である。専用の供給デバイスにより、マルチステーションコーティングシステムの個々のコーティング室が分離してすなわち個々に動作または制御することが可能となる。
【００４９】
個々のコーティング室それぞれが、パルスモードで個々に動作するように、プラズマまたはコーティングされるべき基材にから発生する熱放射および／または電磁放射を検知する分離したプラズマ監視装置１１８も有することが特に有利である。
【００５０】
図４Ｂに示すようにエネルギーが同軸導体によって導入される以外に、図５に示すように、分割した導波管の個々の分岐１０４および１０６のエネルギーを、誘電体窓として知られるものによって個々のコーティング室１１２．１および１１２．２に導入することもできる。
【００５１】
示した実施形態を組合わせることも可能である。
【００５２】
図６および図７は、３つ以上のコーティングステーションを実現することが可能な本発明の例を示している。このことは、同軸導体および導波管のいずれを用いることでも可能である。
【００５３】
図６に示す実施形態では、本発明に従って、第１の同軸導体２００．１は、２つの同軸導体２００．２、２００．３に分割される。同軸導体２００．２、２００．３は、次に、分岐カスケードの形式で２つの同軸導体または導波管２００．４、２００．５、２００．６、２００．７に分割される。個々のコーティング室１１２．１、１１２．２、１１２．３、１１２．４は分岐カスケードの端部に設置される。
【００５４】
図６に示したカスケード状構成の代替として、それぞれが２つの矩形導波管または２つの同軸導体３０４．１、３０４．２を有する複数のダブルステーション３０２．１、３０２．２、３０２．３が共通の導波管３００．１に接続されることも考えられてよい。コーティング室１１２．１、１１２．２が、それぞれ対応する同軸導体または導波管３０４．１、３０４．２の下側に配置される。
【００５５】
本発明は初めて、複数のコーティング室が単一のマイクロ波源を用いて動作することを可能にする、物品をコーティングする装置を提案する。
【００５６】
本発明は、パルス状あるいは非パルス状のマイクロ波エネルギーが、適当な分割によって用いられ、エネルギーを複数の分離したコーティングステーションに供給することを可能にする。コーティング技術上、たとえば隣接したコーティングステーションが互いに影響を及ぼし合うことを防止するため、コーティングステーションは、互いから分離したままであるが、１つのエネルギー源によって供給される。本発明により、あるコーティング室から別のコーティング室への交互の点火、すなわち統制されていない点火が起るのではなく、コーティング室すべてが同時に点火し、それと同じエネルギーの供給がコーティング持続期間中に維持される。
【００５７】
本発明による装置では、プラズマ体積およびガス組成は必ずしも重要ではない。本装置により、アンプルのコーティングに対し２ｍｌ〜１０ｍｌのプラズマ体積を用いる内部コーティング、約５０ｍｌのプラズマ体積を用いる球状キャップの内部コーティング、および最大１００ｍｌのプラズマ体積を用いるランプ球の外部コーティングのいずれも、プロセスパラメータを再調整する必要なく生成することが可能となる。インピーダンスの大幅な変更は、プラスマ体積の変化に関連する。さらに、異なるプラズマの体積に対して、異なるガス組成、特に異なる前駆体（たとえばヘキサメチルジシロキサンまたは塩化チタン）を有するガス組成を、それぞれの場合に、異なる濃度で、プラズマ特性およびコーティング品質を大幅に変えることがなく用いることが可能であり、このガス組成も、インピーダンスにかなりの影響を与える。
【図面の簡単な説明】
【００５８】
【図１】マイクロ波エネルギーがインピーダンス構造によって分割されるＰＩＣＶＤコーティング設備から抜粋した概略図である。
【図２】図１による実施態様の詳細図である。
【図３Ａ】マイクロ波エネルギーがインピーダンス構造によって分割されるＰＩＣＶＤコーティング設備の他の実施形態の抜粋の概略図である。
【図３Ｂ】図１に示した実施形態の実施の詳細図である。
【図３Ｃ】マイクロ波エネルギーが導波管を有するインピーダンス構造によって分割される、ＰＩＣＶＤコーティング設備のさらに別の実施形態からの抜粋の概略図である。
【図３Ｄ】図３Ｃに示した実施形態の実施の詳細図である。
【図４Ａ】マイクロ波エネルギーを２つの分岐に分割するｙ−分割器を有する導波管を示す図である。
【図４Ｂ】マイクロ波エネルギーを個々のコーティング室に放出するよう、同軸導体を有する矩形導波管の図である。
【図５】マイクロ波エネルギーを個々のコーティング室に放出する誘電体窓を有する矩形導波管の図である。
【図６】３つ以上のコーティングステーションに供給するための同軸導体または導波管のシステムを示す図である。
【図７】図６に示したシステムの代替の実施態様を示す図である。
【図１】
0004732685.tif 000002
【図２】
0004732685.tif 000003
【図３Ａ】
0004732685.tif 000004
【図３Ｂ】
0004732685.tif 000005
【図３Ｃ】
0004732685.tif 000006
【図３Ｄ】
0004732685.tif 000007
【図４Ａ】
0004732685.tif 000008
【図４Ｂ】
0004732685.tif 000009
【図５】
0004732685.tif 000010
【図６】
0004732685.tif 000011
【図７】
0004732685.tif 000012